(57)【要約】【課題】接続容易性の高いアクセスポイント用のプロファイルを作成することができる無線通信装置を提供する。【解決手段】アクセスポイント用プロファイル決定部１１は、接続情報としてクライアント用プロファイル保持部１５からＥＳＳＩＤの読み込みを行い、プロファイルのＥＳＳＩＤ指定スキャン実施要求をスキャン実施部１６に送信する。スキャン実施部１６は、アクセスポイントを発見するために、プロファイルのＥＳＳＩＤ指定スキャンを実施する。アクセスポイント用プロファイル決定部１１は、スキャン実施部１６のスキャン結果を取得し、スキャン結果が有るかどうか判定し、スキャン結果が有る場合、当該スキャン結果からアクセスポイントを発見したＥＳＳＩＤを選択し、選択したＥＳＳＩＤと同じＥＳＳＩＤのアクセスポイント用プロファイルを作成する。これにより、接続容易性の高いアクセスポイント用プロファイルを作成することができる。【選択図】図１
2012090245.tif 000002
【特許請求の範囲】
【請求項１】
ネットワーク識別子及びチャンネルを用いて他のアクセスポイントと通信する第１の無線ＬＡＮインタフェースと、
ネットワーク識別子を用いて他のクライアントと通信する第２の無線ＬＡＮインタフェースースと、
前記第１の無線ＬＡＮインタフェースで用いたネットワーク識別子と、チャンネルと、前記ネットワーク識別子及びチャンネルの検索実績とからなるプロファイルを複数保持するプロファイル保持部と、
前記複数のプロファイルから前記検索実績を基に前記プロファイルを選択するプロファイル選択部と、備え、
前記第１の無線ＬＡＮインタフェースは、選択された前記プロファイルのネットワーク識別子を用いて前記他のアクセスポイントがアクセス可能か検索し、アクセス可能な場合、前記第２の無線ＬＡＮインタフェースは前記アクセス可能なネットワーク識別子を用いて前記他のクライアントと通信する無線通信装置。
【請求項２】
請求項１に記載の無線通信装置であって、
前記検索実績が、検索時の電界強度である無線通信装置。
【請求項３】
請求項１に記載の無線通信装置であって、
前記検索実績が、最終検索時の緯度と経度である無線通信装置。
【請求項４】
請求項１から請求項３のいずれか１項に記載の無線通信装置であって、
前記プロファイルは、ネットワーク識別子と、チャンネルと、前記ネットワーク識別子及びチャンネルの検索実績と、前記ネットワーク識別子のセキュリティ情報とからなり、
前記第１の無線ＬＡＮインタフェースは、選択された前記プロファイルのネットワーク識別子を用いて前記他のアクセスポイントがアクセス可能か検索し、アクセス可能な場合、前記第２の無線ＬＡＮインタフェースは前記アクセス可能なネットワーク識別子とセキュリティ情報を用いて前記他のクライアントと通信する無線通信装置。
【請求項５】
ネットワーク識別子及びチャンネルを用いて他のアクセスポイントと通信する第１の無線ＬＡＮインタフェースと、
ネットワーク識別子を用いて他のクライアントと通信する第２の無線ＬＡＮインタフェースースと、
前記第１の無線ＬＡＮインタフェースで用いるために予め設定されたネットワーク識別子及びチャンネルを保持するプロファイル保持部と、備え、
前記第１の無線ＬＡＮインタフェースは、前記ネットワーク識別子を用いて前記他のアクセスポイントがアクセス可能か検索し、アクセス可能な場合、前記第２の無線ＬＡＮインタフェースは前記ネットワーク識別子を用いて前記他のクライアントと通信する無線通信装置。
【発明の詳細な説明】
【技術分野】
【０００１】
本発明は、クライアント機能とアクセスポイント機能を有する無線通信装置に関する。
【背景技術】
【０００２】
クライアント機能とアクセスポイント機能を有する無線通信装置として、例えば特許文献１に記載された中継端末装置が知られている。この中継端末装置は、移動端末装置からの接続要求を受信して中継の可否を判断し、中継が可能な場合に限りアクセスポイントとの通信可否を調べ、その結果を接続要求のあった移動端末装置に通知するようにしている。
【０００３】
一方、アクセスポイント用のプロファイルを作成する機能を有する装置として、例えば特許文献２に記載された無線通信システムや、特許文献３に記載されたアクセスポイント軽減装置が知られている。なお、アクセスポイント用のプロファイルは、ネットワーク識別子、セキュリティ情報、チャンネル等の接続に必要な情報からなるものである。特許文献２に記載された無線通信システムでは、管理用のサーバが各無線基地局の無線チャンネルを割り付けるようにしており、特許文献３に記載されたアクセスポイント軽減装置では、無線アクセスポイントが無線チャンネルの干渉を評価し、使用する通信チャンネルを選択するようにしている。
【先行技術文献】
【特許文献】
【０００４】
【特許文献１】特開２００３−２４９９３７号公報
【特許文献２】特開２００４−１８０２１６号公報
【特許文献３】国際公開第２００５／０３２０５３号パンフレット
【発明の概要】
【発明が解決しようとする課題】
【０００５】
ところで、クライアント機能とアクセスポイント機能を有する無線通信装置では、アクセスポイント用のプロファイルを効率よく作成することが課題になっているものの、前述した特許文献１に記載された中継端末装置にあっては、アクセスポイント用のプロファイルの作成については開示されていない。また、特許文献２に記載の無線通信システム及び特許文献３に記載のアクセスポイント軽減装置にあっては、アクセスポイント用のプロファイルの作成については開示されているものの、チャンネルのみを自動的に決定する技術が開示されているだけであり、接続容易性の高いアクセスポイント用のプロファイルを作成するまでの記載は見あたらない。
【０００６】
本発明は、係る事情に鑑みてなされたものであり、接続容易性の高いアクセスポイント用のプロファイルを作成することができる無線通信装置を提供することを目的とする。
【課題を解決するための手段】
【０００７】
本発明の無線通信装置は、ネットワーク識別子及びチャンネルを用いて他のアクセスポイントと通信する第１の無線ＬＡＮインタフェースと、ネットワーク識別子を用いて他のクライアントと通信する第２の無線ＬＡＮインタフェースースと、前記第１の無線ＬＡＮインタフェースで用いたネットワーク識別子と、チャンネルと、前記ネットワーク識別子及びチャンネルの検索実績とからなるプロファイルを複数保持するプロファイル保持部と、前記複数のプロファイルから前記検索実績を基に前記プロファイルを選択するプロファイル選択部と、備え、前記第１の無線ＬＡＮインタフェースは、選択された前記プロファイルのネットワーク識別子を用いて前記他のアクセスポイントがアクセス可能か検索し、アクセス可能な場合、前記第２の無線ＬＡＮインタフェースは前記アクセス可能なネットワーク識別子を用いて前記他のクライアントと通信する。
【０００８】
上記構成によれば、アクセスポイント用のプロファイルを、ネットワーク識別子と、チャンネルと、ネットワーク識別子及びチャンネルの検索実績とから構成するので、接続容易性の高いアクセスポイント用のプロファイルの作成が可能となる。
【０００９】
また、接続容易性の高いアクセスポイント用のプロファイルをプロファイル保持部が複数保持し、その中の１つをプロファイル選択部が検索実績に基づいて選択する。そして、第１の無線ＬＡＮインタフェースが、プロファイル選択部で選択されたプロファイルのネットワーク識別子を用いて他のアクセスポイントがアクセス可能か検索し、アクセス可能であれば、第２の無線ＬＡＮインタフェースが前記アクセス可能なネットワーク識別子を用いて他のクライアントと通信するので、アクセスポイントが移動するものである場合（即ち、モバイルアクセスポイント）、その移動するアクセスポイントがいなくなったときに、クライアントとして動作する機器が親のアクセスポイント（モバイルアクセスポイント以外のアクセスポイント）と接続できる可能性を高くできる。
【００１０】
上記構成において、前記検索実績が、検索時の電界強度である。
【００１１】
上記構成によれば、検索実績として検索時の電界強度を用いることで、接続容易性の高いアクセスポイント用のプロファイルの作成が可能となる。
【００１２】
上記構成において、前記検索実績が、最終検索時の緯度と経度である。
【００１３】
上記構成によれば、検索実績として最終検索時の緯度と経度を用いることで、接続容易性の高いアクセスポイント用のプロファイルの作成が可能となる。
【００１４】
上記構成において、前記プロファイルは、ネットワーク識別子と、チャンネルと、前記ネットワーク識別子及びチャンネルの検索実績と、前記ネットワーク識別子のセキュリティ情報とからなり、前記第１の無線ＬＡＮインタフェースは、選択された前記プロファイルのネットワーク識別子を用いて前記他のアクセスポイントがアクセス可能か検索し、アクセス可能な場合、前記第２の無線ＬＡＮインタフェースは前記アクセス可能なネットワーク識別子とセキュリティ情報を用いて前記他のクライアントと通信する。
【００１５】
上記構成によれば、アクセスポイント用のプロファイルの作成において、ネットワーク識別子、チャンネル、ネットワーク識別子及びチャンネルの検索実績の他に、ネットワーク識別子のセキュリティ情報を加えたので、さらに接続容易性の高いアクセスポイント用のプロファイルの作成が可能となる。
【００１６】
本発明の無線通信装置は、ネットワーク識別子及びチャンネルを用いて他のアクセスポイントと通信する第１の無線ＬＡＮインタフェースと、ネットワーク識別子を用いて他のクライアントと通信する第２の無線ＬＡＮインタフェースースと、前記第１の無線ＬＡＮインタフェースで用いるために予め設定されたネットワーク識別子及びチャンネルを保持するプロファイル保持部と、備え、前記第１の無線ＬＡＮインタフェースは、前記ネットワーク識別子を用いて前記他のアクセスポイントがアクセス可能か検索し、アクセス可能な場合、前記第２の無線ＬＡＮインタフェースは前記ネットワーク識別子を用いて前記他のクライアントと通信する。
【００１７】
上記構成によれば、第１の無線ＬＡＮインタフェースが、プロファイル保持部で保持されているネットワーク識別子を用いて他のアクセスポイントがアクセス可能か検索し、アクセス可能であれば、第２の無線ＬＡＮインタフェースがネットワーク識別子を用いて他のクライアントと通信するので、アクセスポイントが移動するものである場合（即ち、モバイルアクセスポイント）、その移動するアクセスポイントがいなくなったときに、クライアントとして動作する機器が親のアクセスポイント（モバイルアクセスポイント以外のアクセスポイント）と接続できる可能性を高くできる。
【発明の効果】
【００１８】
本発明によれば、アクセスポイント用のプロファイルを、ネットワーク識別子と、接続容易性情報（チャンネル、ネットワーク識別子及びチャンネルの検索実績等）とから構成するので、接続容易性の高いアクセスポイント用のプロファイルの作成が可能となる。
【図面の簡単な説明】
【００１９】
【図１】本発明の実施の形態１に係る無線通信装置及び該無線通信装置と無線ＬＡＮで通信を行う機器それぞれの概略構成を示すブロック図
【図２】図１の無線通信装置におけるアクセスポイント用のプロファイルの生成処理を説明するためにフローチャート
【図３】図１の無線通信装置の動作の概略を模式的に示した図
【図４】図１の無線通信装置において、クライアント用プロファイルから取得できる接続情報を示す図
【図５】図１の無線通信装置において、クライアント用プロファイルから取得できる接続情報を示す図
【図６】本発明の実施の形態２に係る無線通信装置の動作の概略を模式的に示した図
【図７】本発明の実施の形態３に係る無線通信装置の動作の概略を模式的に示した図
【図８】本発明の実施の形態４に係る無線通信装置の動作の概略を模式的に示した図
【図９】本発明の実施の形態５に係る無線通信装置の動作の概略を模式的に示した図
【発明を実施するための形態】
【００２０】
以下、本発明を実施するための好適な実施の形態について、図面を参照して詳細に説明する。
【００２１】
（実施の形態１）
図１は、本発明の実施の形態１に係る無線通信装置及び該無線通信装置と無線ＬＡＮで通信を行う機器それぞれの概略構成を示すブロック図である。図１において、本実施の形態の無線通信装置１Ａは、アクセスポイント機能とクライアント機能を有するものであり、アクセスポイント用プロファイル作成部１０と、アクセスポイント用プロファイル決定部１１と、アクセスポイント用プロファイル保持部１２と、スキャン応答部１３と、アクセスポイント接続部１４と、クライアント用プロファイル保持部１５と、スキャン実施部１６と、クライアント接続部１７とを備える。
【００２２】
アクセスポイント用プロファイル作成部１０、アクセスポイント用プロファイル決定部１１、アクセスポイント用プロファイル保持部１２、スキャン応答部１３及びアクセスポイント接続部１４は、アクセスポイント部（第１の無線ＬＡＮインタフェース）１００を構成する。クライアント用プロファイル保持部１５、スキャン実施部１６及びクライアント接続部１７は、クライアント部（第２の無線ＬＡＮインタフェース）１１０を構成する。
【００２３】
アクセスポイント部１００は、ネットワーク識別子を用いて他のアクセスポイントと通信を行い、クライアント部１１０は、ネットワーク識別子及びチャンネルを用いて他のクライアントと通信を行う。即ち、アクセスポイント部１００は、アクセスポイント用プロファイル決定部１１で選択されたプロファイルのネットワーク識別子を用いて他のアクセスポイントがアクセス可能か検索し、アクセス可能な場合、クライアント部１１０が、アクセス可能なネットワーク識別子を用いて他のクライアントと通信を行う。本実施の形態では、ネットワーク識別子としてＥＳＳＩＤ（Extended Service Set Identifier）を用いている。
【００２４】
アクセスポイント用プロファイル作成部１０は、機器２からのプロファイル作成要求に従い、アクセスポイント用プロファイル決定部（プロファイル選択部）１１にアクセスポイント用プロファイル作成指示を通知する。この指示を行った後、アクセスポイント用プロファイル決定部１１からアクセスポイント用プロファイルの作成成功の通知があると、機器２にアクセスポイント用プロファイルを送信する。アクセスポイント用プロファイル決定部１１は、アクセスポイント用プロファイル作成部１０からのアクセスポイント用プロファイル作成指示に従い、クライアント用プロファイル保持部１５に保持されている複数のプロファイルから検索実績を基にプロファイルを選択する。そして、選択したプロファイルをアクセスポイント用プロファイル作成部１０へ出力する。検索実績は、例えば検索時の電界強度、最終検索時の緯度と経度など、ＥＳＳＩＤ及びチャンネルの検索実績である。
【００２５】
アクセスポイント用プロファイル保持部１２は、アクセスポイント用プロファイルを保持する。スキャン応答部１３は、機器２のアクセスポイントを検索するスキャンに応答する。アクセスポイント接続部１４は、プロファイルを使用してクライアントとの間で接続処理を行う。クライアント用プロファイル保持部（プロファイル保持部）１５は、ＥＳＳＩＤと、チャンネルと、前記実績値とからなるプロファイルを複数保持する。スキャン実施部１６は、アクセスポイント用プロファイル決定部１１からのプロファイルのＥＳＳＩＤ指定スキャン実施要求に従い、プロファイルのＥＳＳＩＤ指定スキャンを実施する。クライアント接続部１７はクライアントとの接続を行う。
【００２６】
一方、機器２は、無線ＬＡＮ機能を有するスマートフォンやゲーム機等のクライアントとして動作する機能を備えたものであり、クライアント用プロファイル作成部２１と、クライアント用プロファイル保持部２２と、スキャン実施部２３と、クライアント接続部２４とを備える。クライアント用プロファイル作成部２１は、無線通信装置１Ａにプロファイル作成要求を送り、また無線通信装置１Ａからアクセスポイント用プロファイルを取得する。クライアント用プロファイル保持部２２は、クライアント用プロファイル作成部２１で取得されたクライアント用プロファイルを保持する。スキャン実施部２３は、アクセスポイントを検索するためのスキャンを行う。クライアント接続部２４は、スキャン実施部２３がスキャンを行って発見したアクセスポイントとの間で接続処理を行う。
【００２７】
図２は、本実施の形態の無線通信装置１Ａの動作を説明するためのフローチャートである。図２中の（１）、（２）、…の数値は、図１のブロック図中で記載した数値に対応する処理を示している。図２において、アクセスポイント用プロファイル作成部１０が、機器２からのプロファイル作成要求の受信を行う（（１）、ステップＳ１０）。アクセスポイント用プロファイル作成部１０は、機器２からのプロファイル作成要求を受信すると、アクセスポイント用プロファイル決定部１１にアクセスポイント用プロファイル作成指示を送信する（（２）、ステップＳ１１）。アクセスポイント用プロファイル決定部１１は、アクセスポイント用プロファイル作成指示を受信すると、接続情報として、クライアント用プロファイル保持部１５からＥＳＳＩＤの読み込みを行う（（３）、ステップＳ１２）。
【００２８】
次に、アクセスポイント用プロファイル決定部１１が、プロファイルのＥＳＳＩＤ指定スキャン実施要求をスキャン実施部１６に送信する（（４）、ステップＳ１３）。スキャン実施部１６は、プロファイルのＥＳＳＩＤ指定スキャン実施要求を受信すると、アクセスポイントを発見するために、プロファイルのＥＳＳＩＤ指定スキャンを実施する（（５）、ステップＳ１４）。スキャン実施部１６にてプロファイルのＥＳＳＩＤ指定スキャンが実施されると、アクセスポイント用プロファイル決定部１１が、スキャン実施部１６のスキャン結果を取得する（（６）、ステップＳ１５）。ここで、スキャン結果とは、ＥＳＳＩＤ毎にアクセスポイントを発見したかどうかの情報である。
【００２９】
アクセスポイント用プロファイル決定部１１は、スキャン結果が有るかどうか判定し（ステップＳ１６）、スキャン結果が無い場合、アクセスポイント用プロファイル決定部１１は、アクセスポイント用プロファイル作成部１０を介して機器２にアクセスポイント用プロファイルの作成失敗を送信し（（８）、ステップＳ１７）、その後、本処理を終了する。
【００３０】
一方、アクセスポイント用プロファイル決定部１１は、スキャン結果が有る場合、スキャン結果からアクセスポイントを発見したＥＳＳＩＤを選択する（ステップＳ１８）。そして、アクセスポイント用プロファイル決定部１１は、選択したＥＳＳＩＤと同じＥＳＳＩＤのアクセスポイント用プロファイルを作成する（ステップＳ１９）。そして、アクセスポイント用プロファイル決定部１１は、作成したアクセスポイント用プロファイルをアクセスポイント用プロファイル保持部１２に保存する（（７）、ステップＳ２０）。その後、アクセスポイント用プロファイル決定部１１は、アクセスポイント用プロファイル作成部１０を介して機器２にアクセスポイント用プロファイルの作成成功を送信する（（８）、ステップＳ２１）。次にアクセスポイント用プロファイル作成部１０が、アクセスポイント用プロファイル決定部１１で作成され、アクセスポイント用プロファイル保持部１２に保持されているアクセスポイント用プロファイルをアクセスポイント用プロファイル保持部１２から読み出して機器２へ送信する（（９）、ステップＳ２２）。アクセスポイント用プロファイルを送信した後、本処理を終了する。
【００３１】
図３は、本実施の形態の無線通信装置１Ａの動作の概略を模式的に示した図である。図３において、本実施の形態の無線通信装置１Ａは、アクセスポイント又はクライアントとして動作し、機器２はクライアントとして動作する。無線通信装置１Ａと機器２はアクセスポイント３の無線エリア５０内に存在しているものとする。図３の（ａ）は、無線通信装置１Ａのクライアント用プロファイルの一例であり、「プロファイル名」、「ＥＳＳＩＤ」、「チャンネル」、「セキュリティ」、「鍵情報」から構成される。図３の（ｂ）は検索結果の一例であり、「ＢＳＳＩＤ」、「ＥＳＳＩＤ」、「チャンネル」、「セキュリティ」が含まれる。図３の（ｃ）は無線通信装置１Ａのアクセスポイント用プロファイルであり、「プロファイル名」、「ＥＳＳＩＤ」から構成される。
【００３２】
本実施の形態の無線通信装置１Ａは、自身のクライアント用プロファイルに登録されているＥＳＳＩＤと同じＥＳＳＩＤのアクセスポイントが存在しているかを検索し、同じＥＳＳＩＤのアクセスポイントが存在している場合、そのアクセスポイントのＥＳＳＩＤを、アクセスポイントとして動作するときのＥＳＳＩＤとして使用する。図３では、アクセスポイント３が無線通信装置１Ａのクライアント用プロファイルに登録されているＥＳＳＩＤ（ＳＳＩＤ＃ａ）と同じＥＳＳＩＤ（ＳＳＩＤ＃ａ）のアクセスポイントとする。検索で見つかったプロファイルにあるＥＳＳＩＤをアクセスポイント用プロファイルのＥＳＳＩＤとする。
【００３３】
このように本実施の形態に係る無線通信装置１Ａによれば、自身のクライアント用プロファイルに登録されているＥＳＳＩＤと同じＥＳＳＩＤのアクセスポイントが存在しているかを検索し、同じＥＳＳＩＤのアクセスポイントが存在している場合、そのアクセスポイントのＥＳＳＩＤを、アクセスポイントとして動作するときのＥＳＳＩＤとして使用するので、接続容易性の高いアクセスポイント用プロファイルを作成することができる。
【００３４】
また、クライアント部１１０が、ＥＳＳＩＤを用いて他のアクセスポイントがアクセス可能か検索し、アクセス可能な場合、アクセスポイント部１００が、前記ＥＳＳＩＤを用いて前記他のクライアントと通信するので、アクセスポイントが移動するもの（図３に示すアクセスポイント３）である場合、その移動するアクセスポイント（即ち、モバイルアクセスポイント）がいなくなった際に、クライアントとして動作する機器が親のアクセスポイント（前記他のアクセスポイントと異なるアクセスポイントで、例えば固定のもの）と接続できる可能性を高くできる。
【００３５】
なお、本実施の形態の無線通信装置１Ａでは、クライアント用プロファイルからネットワーク識別子としてＥＳＳＩＤを取得したが（図２のステップＳ１２）、当該プロファイルから取得できる他の接続情報の例として、以下に列記するものがある。
（ａ）チャンネル
（ｂ）セキュリティ情報（セキュリティ種別、鍵情報）
（ｃ）ＩＰアドレス情報（ＩＰアドレス、ネットマスク、デフォルトＧＷアドレス）
（ｄ）Ｗｅｂ認証情報（サービス名称、ＩＤ、パスワード）
（ｅ）接続履歴情報（最終接続日時、接続回数、接続頻度）
（ｆ）発見履歴情報（最終発見日時、発見回数、発見頻度）
（ｇ）プロファイルの優先度情報
これらの情報は、クライアント用プロファイルのＥＳＳＩＤに関連付けられたものである。また、これらの情報を含む他の情報を図４及び図５に示す。図４及び図５中のＡＰはアクセスポイントである。
【００３６】
また、本実施の形態の無線通信装置１Ａでは、スキャン結果として、ＥＳＳＩＤ毎にアクセスポイントを発見したかどうかの情報（接続容易性情報）を取得したが（図２のステップＳ１５）、当該スキャン結果から取得できる他の接続容易性情報として以下に列記するものがある。
（ａ）チャンネル
（ｂ）セキュリティ情報（セキュリティ種別）
（ｃ）無線ＬＡＮパラメータ情報（受信電界強度、サポートレート、ビーコン間隔等）
（ｄ）発見履歴情報（最終発見日時、発見回数、発見頻度）
これらの情報は、スキャンで発見したアクセスポイントのＥＳＳＩＤに関連付けられたものである。
【００３７】
（実施の形態２）
図６は、本発明の実施の形態２に係る無線通信装置の動作の概略を模式的に示した図である。図６において、本実施の形態の無線通信装置１Ｂの構成は、図１に示す実施の形態１の無線通信装置１Ａの構成と同様であるので、構成については図を省略する。本実施の形態の無線通信装置１Ｂはアクセスポイント又はクライアントとして動作し、機器２はクライアントとして動作する。本実施の形態の無線通信装置１Ｂと実施の形態１の無線通信装置１Ａの違いは、図６に示すようにクライアント用プロファイルに「優先度」を設けて、複数のＥＳＳＩＤがある場合にこの優先度に従って１つのＥＳＳＩＤを選択する点にある。
【００３８】
機器２は、２つのアクセスポイント３、４の無線エリア５０、５１の重複する無線エリア５２内に存在しているものとする。図６の（ａ）は、無線通信装置１Ｂのクライアント用プロファイルの一例であり、「プロファイル名」、「ＥＳＳＩＤ」、「チャンネル」、「セキュリティ」、「鍵情報」、「優先度」から構成される。図６の（ｂ）は検索結果の一例であり、「ＢＳＳＩＤ」、「ＥＳＳＩＤ」、「チャンネル」、「セキュリティ」が含まれる。図６の（ｃ）は無線通信装置１Ｂのアクセスポイント用プロファイルであり、「プロファイル名」、「ＥＳＳＩＤ」から構成される。
【００３９】
本実施の形態の無線通信装置１Ｂは、自身のクライアント用プロファイルに登録されているＥＳＳＩＤと同じＥＳＳＩＤのアクセスポイントが存在しているかを検索し、同じＥＳＳＩＤのアクセスポイントが存在している場合、そのアクセスポイントのＥＳＳＩＤを、アクセスポイントとして動作するときのＥＳＳＩＤとして使用する。ここまでの動作は実施の形態１の無線通信装置１Ａと同様である。本実施の形態の無線通信装置１Ｂでは、ＥＳＳＩＤが複数存在している場合、クライアント用プロファイルの優先度に従い最も優先度の高いＥＳＳＩＤを選択する。図６に示すように、アクセスポイント３の優先度が「１」、アクセスポイント４の優先度が「２」であるので、アクセスポイント３が選択される。
【００４０】
このように本実施の形態に係る無線通信装置１Ｂによれば、複数のＥＳＳＩＤが発見される環境即ち複数のアクセスポイントが存在している環境において、優先度の高いアクセスポイントを選択するようにしているので、接続容易性の高いアクセスポイント用プロファイルの作成が可能となる。
【００４１】
（実施の形態３）
図７は、本発明の実施の形態３に係る無線通信装置の動作の概略を模式的に示した図である。図７において、本実施の形態の無線通信装置１Ｃの構成は、図１に示す実施の形態１の無線通信装置１Ａの構成と同様であるので、構成については図を省略する。本実施の形態の無線通信装置１Ｃはアクセスポイント又はクライアントとして動作し、機器２はクライアントとして動作する。本実施の形態の無線通信装置１Ｃと実施の形態１の無線通信装置１Ａの違いは、図７に示すように、検索で見つかったプロファイルにあるＥＳＳＩＤのうち、最終発見場所が現在の場所から近いものを選択する点である。
【００４２】
機器２は、２つのアクセスポイント３、４の無線エリア５０、５１の重複する無線エリア５２内に存在しているものとする。図７の（ａ）は、無線通信装置１Ｃのクライアント用プロファイルの一例であり、「プロファイル名」、「ＥＳＳＩＤ」、「チャンネル」、「セキュリティ」、「鍵情報」から構成される。図７の（ｂ）は検索結果の一例であり、「ＢＳＳＩＤ」、「ＥＳＳＩＤ」、「チャンネル」、「セキュリティ」が含まれる。図７の（ｃ）は、発見履歴の一例であり、「ＥＳＳＩＤ」と「最終発見場所」から構成される。図７の（ｄ）は、位置情報（ｌａｔ：緯度、ｌｏｔ：経度）の一例であり、「現在の場所」からなる。図７の（ｅ）は、無線通信装置１Ｃのアクセスポイント用プロファイルであり、「プロファイル名」、「ＥＳＳＩＤ」から構成される。
【００４３】
本実施の形態の無線通信装置１Ｃは、自身のクライアント用プロファイルに登録されているＥＳＳＩＤと同じＥＳＳＩＤのアクセスポイントが存在しているかを検索し、同じＥＳＳＩＤのアクセスポイントが存在している場合、そのアクセスポイントのＥＳＳＩＤを、アクセスポイントとして動作するときのＥＳＳＩＤとして使用する。ここまでの動作は実施の形態１の無線通信装置１Ａと同様である。本実施の形態の無線通信装置１Ｃでは、ＥＳＳＩＤが複数存在している場合、上述したように、検索で見つかったプロファイルにあるＥＳＳＩＤのうち、最終発見場所が現在の場所から近いものを選択する。図７に示すように、発見履歴には、ＥＳＳＩＤがＳＳＩＤ＃ｘのアクセスポイント４の最終発見場所が、ｌａｔ：ａａ．ｂｂ，ｃｃ．ｄｄｄ、ｌｏｎ：ｅｅ．ｆｆ．ｇｇ．ｈｈｈであり、ＥＳＳＩＤがＳＳＩＤ＃ａのアクセスポイント３の最終発見場所が、ｌａｔ：ｉｉ．ｊｊ，ｋｋ．ｌｌｌ、ｌｏｎ：ｍｍ．ｎｎ．ｏｏ．ｐｐｐであり、現在場所が、ｌａｔ：ａａ．ｂｂ，ｃｃ．ｑｑｑ、ｌｏｎ：ｅｅ．ｆｆ．ｇｇ．ｈｈｈであるので、ＥＳＳＩＤがＳＳＩＤ＃ａのアクセスポイント３が現在の場所に近い。したがって、アクセスポイント３が選択される。
【００４４】
このように本実施の形態に係る無線通信装置１Ｃによれば、複数のＥＳＳＩＤが発見される環境即ち複数のアクセスポイントが存在している環境において、最終発見場所が現在の場所から近いものを選択するようにしているので、接続容易性の高いアクセスポイント用プロファイルの作成が可能となる。
【００４５】
（実施の形態４）
図８は、本発明の実施の形態４に係る無線通信装置の動作の概略を模式的に示した図である。図８において、本実施の形態の無線通信装置１Ｄの構成は、図１に示す実施の形態１の無線通信装置１Ａの構成と同様であるので、構成については図を省略する。本実施の形態の無線通信装置１Ｄはアクセスポイント又はクライアントとして動作し、機器２はクライアントとして動作する。本実施の形態の無線通信装置１Ｄと実施の形態１の無線通信装置１Ａの違いは、図８に示すように、検索で見つかったプロファイルにあるＥＳＳＩＤのうち、電界強度の良いものを選択する点である。
【００４６】
機器２は、２つのアクセスポイント３、４の無線エリア５０、５１の重複する無線エリア５２内に存在しているものとする。図８の（ａ）は、無線通信装置１Ｄのクライアント用プロファイルの一例であり、「プロファイル名」、「ＥＳＳＩＤ」、「チャンネル」、「セキュリティ」、「鍵情報」から構成される。図８の（ｂ）は検索結果の一例であり、「ＢＳＳＩＤ」、「ＥＳＳＩＤ」、「チャンネル」、「セキュリティ」、「電界強度」が含まれる。図８の（ｃ）は、無線通信装置１Ｄのアクセスポイント用プロファイルであり、「プロファイル名」、「ＥＳＳＩＤ」から構成される。
【００４７】
本実施の形態の無線通信装置１Ｄは、自身のクライアント用プロファイルに登録されているＥＳＳＩＤと同じＥＳＳＩＤのアクセスポイントが存在しているかを検索し、同じＥＳＳＩＤのアクセスポイントが存在している場合、そのアクセスポイントのＥＳＳＩＤを、アクセスポイントとして動作するときのＥＳＳＩＤとして使用する。ここまでの動作は実施の形態１の無線通信装置１Ａと同様である。本実施の形態の無線通信装置１Ｄでは、ＥＳＳＩＤが複数存在している場合、上述したように、検索で見つかったプロファイルにあるＥＳＳＩＤのうち、電界強度の良いものを選択する。図８に示すように、検索結果には、ＥＳＳＩＤがＳＳＩＤ＃ｘのアクセスポイント４による電界強度が、−６０ｄＢｍ（悪い）であり、ＥＳＳＩＤがＳＳＩＤ＃ａのアクセスポイント３による電界強度が、−４５ｄＢｍ（良い）であるので、ＥＳＳＩＤがＳＳＩＤ＃ａのアクセスポイント３による電界強度の方が良い。したがって、アクセスポイント３が選択される。
【００４８】
このように本実施の形態に係る無線通信装置１Ｄによれば、複数のＥＳＳＩＤが発見される環境即ち複数のアクセスポイントが存在している環境において、電界強度の良いものを選択するようにしているので、接続容易性の高いアクセスポイント用プロファイルの作成が可能となる。
【００４９】
（実施の形態５）
図９は、本発明の実施の形態５に係る無線通信装置の動作の概略を模式的に示した図である。図９において、本実施の形態の無線通信装置１Ｅの構成は、図１に示す実施の形態１の無線通信装置１Ａの構成と同様であるので、構成については図を省略する。本実施の形態の無線通信装置１Ｅはアクセスポイント又はクライアントとして動作し、機器２はクライアントとして動作する。アクセスポイント３Ａにはセキュリティが設定されているものとする。本実施の形態の無線通信装置１Ｅと実施の形態１の無線通信装置１Ａの違いは、図９に示すように、プロファイル又は検索結果から、セキュリティ情報を取得し、ＥＳＳＩＤと合わせて使用する点にある。
【００５０】
機器２は、アクセスポイント３Ａの無線エリア５０内に存在しているものとする。図９の（ａ）は、無線通信装置１Ｅのクライアント用プロファイルの一例であり、「プロファイル名」、「ＥＳＳＩＤ」、「チャンネル」、「セキュリティ」、「鍵情報」から構成される。図９の（ｂ）は検索結果の一例であり、「ＢＳＳＩＤ」、「ＥＳＳＩＤ」、「チャンネル」、「セキュリティ」が含まれる。図７の（ｃ）は、無線通信装置１Ｅのアクセスポイント用プロファイルであり、「プロファイル名」、「ＥＳＳＩＤ」、「チャンネル」、「セキュリティ」、「鍵情報」から構成される。
【００５１】
本実施の形態の無線通信装置１Ｅは、自身のクライアント用プロファイルに登録されているＥＳＳＩＤと同じＥＳＳＩＤのアクセスポイントが存在しているかを検索し、同じＥＳＳＩＤのアクセスポイントが存在している場合、そのアクセスポイントのＥＳＳＩＤを、アクセスポイントとして動作するときのＥＳＳＩＤとして使用する。ここまでの動作は実施の形態１の無線通信装置１Ａと同様であるが、本実施の形態の無線通信装置１Ｅでは、その際に、プロファイル又は検索結果から、セキュリティ情報を取得し、ＥＳＳＩＤと合わせて使用する。図９に示すように、無線通信装置１Ｅのクライアント用プロファイルのうち、プロファイル名：ｘｘｘのセキュリティがＷＰＡ２−ＰＳＫ／ＴＫＩＰであり、検索結果におけるセキュリティがＷＰＡ２−ＰＳＫ／ＡＥＳであるので、セキュリティがＷＰＡ２−ＰＳＫ／ＡＥＳのＥＳＳＩＤが選択される。
【００５２】
このように本実施の形態に係る無線通信装置１Ｅによれば、セキュリティが設定されたアクセスポイント３Ａが存在する環境においても、接続容易性の高いアクセスポイント用プロファイルの作成が可能となる。
【００５３】
なお、上記実施の形態１及び２においては、ＥＳＳＩＤからアクセスポイント用プロファイルを作成し、上記実施の形態３においては、発見履歴からアクセスポイント用プロファイルを作成し、上記実施の形態４においては、電界強度からアクセスポイント用プロファイルを作成し、上記実施の形態５においては、ＥＳＳＩＤとセキュリティとからアクセスポイント用プロファイルを作成したが、アクセスポイント用プロファイルを作成する各要素を組み合わせることも勿論可能である。
【産業上の利用可能性】
【００５４】
本発明は、接続容易性の高いアクセスポイント用のプロファイルを作成することができるといった効果を有し、クライアント機能とアクセスポイント機能を有する中継端末装置等への適用が可能である。
【符号の説明】
【００５５】
１Ａ、１Ｂ、１Ｃ、１Ｄ、１Ｅ  無線通信装置
２  機器
３、３Ａ、４  アクセスポイント
１０  アクセスポイント用プロファイル作成部
１１  アクセスポイント用プロファイル決定部
１２  アクセスポイント用プロファイル保持部
１３  スキャン応答部
１４  アクセスポイント接続部
１５  クライアント用プロファイル保持部
１６  スキャン実施部
１７  クライアント接続部
２１  クライアント用プロファイル作成部
２２  クライアント用プロファイル保持部
２３  スキャン実施部
２４  クライアント接続部
５０、５１、５２  無線エリア
１００  アクセスポイント部
１１０  クライアント部
【図１】
2012090245.tif 000003
【図２】
2012090245.tif 000004
【図３】
2012090245.tif 000005
【図４】
2012090245.tif 000006
【図５】
2012090245.tif 000007
【図６】
2012090245.tif 000008
【図７】
2012090245.tif 000009
【図８】
2012090245.tif 000010
【図９】
2012090245.tif 000011